(57)【要約】【課題】  本体の機能を用いて音楽関係データ以外のデータであっても共通の選択肢を含むグループで管理でき、かつ、その操作性に優れる携帯型音楽再生装置を提供する。【解決手段】  携帯型音楽再生装置１においてオーディオのデータとフォトのデータとが同じグループ構造で管理されるようにしたので、オーディオおよびフォトの再生等の操作を統一化することができ、操作性が向上する。また、オーディオメニューとフォトメニューとが同一表示画面上に表示されることから、携帯型音楽再生装置１の多機能化を図りながらも操作性が明瞭になり、ユーザーの誤操作を低減させることができる。【選択図】        図３
2007080426.tif 000002
【特許請求の範囲】
【請求項１】
表示部を有する本体と、
前記本体に収容された前記表示部に表示される表示画面を用いて選択的に再生される音楽データおよび画像データを記憶する記憶部と、
前記表示部に、種別として音楽または画像を選択可能に表示する第１のメニュー画面を表示させ、前記第１のメニュー画面で選択された音楽または画像の種別をさらに複数にグループ化して選択可能とするために、複数の選択肢を表示させる第２のメニュー画面を表示する表示制御部とを有し、前記第２のメニュー画面は、音楽および画像の各種別に対して共通の選択肢を表示させることを特徴とする携帯型音楽再生装置。
【請求項２】
前記共通の選択肢は、少なくともアルバム、プレイリスト、フォルダ、ブックマーク、ゴミ箱のうちいずれか一つを含んでいることを特徴とする請求項１記載の携帯型音楽再生装置。
【請求項３】
前記本体は、前記第１および第２のメニュー画面の切り替えをスイッチ操作に基づいて行う請求項１に記載の携帯型音楽再生装置。
【請求項４】
前記記憶部は、前記表示部のサイズに応じて形成された表示用画像を格納する請求項１に記載の携帯型音楽再生装置。
【請求項５】
前記記憶部は、前記表示部での表示形態に応じたサイズおよび表示方向の前記表示用画像を格納する請求項４に記載の携帯型音楽再生装置。
【請求項６】
前記記憶部は、前記携帯型音楽再生装置に接続される外部機器から前記音楽および画像に係るデータの少なくとも一方を同期転送される請求項１に記載の携帯型音楽再生装置。
【発明の詳細な説明】
【技術分野】
【０００１】
本発明は、音楽データを再生可能な携帯型音楽再生装置に関し、特に、本体の機能を用いて音楽関係データ以外のデータであっても共通の選択肢を含むグループで管理でき、かつ、その操作性に優れる携帯型音楽再生装置に関する。
【背景技術】
【０００２】
従来の携帯型音楽再生装置として、ハードディスクドライブやフラッシュメモリ等の記憶部に記憶された音楽データを再生し、ヘッドホン等の出力部から音声出力するものが知られている。
【０００３】
このような携帯型音楽再生装置は、近年、多機能化が進んでおり、これに伴って種々の機能をグループ化して保有し、ユーザーが表示部に表示される操作画面を見ながら、スイッチやタッチパネル等の操作部を操作してグループに含まれる選択肢をたどることにより、所望の機能を得るものがある。
【０００４】
また、操作画面を見やすさを高めるために、大型で高繊細なカラー液晶パネル等の表示部を備えた携帯型音楽再生装置も提案されており、パーソナル・コンピュータ等の外部機器から写真やイメージ等の画像データ（以下の説明では「フォト」のデータという）を転送することにより、フォトビューワーとしての使用形態も提案されている（例えば、特許文献１参照。）。
【０００５】
特許文献１に記載された携帯型音楽再生装置によれば、記憶部としてのハードディスクドライブに音楽ファイルをグループ化して格納しており、さらに音楽ファイルだけでなくワードプロセッサの文書ファイルや画像ファイル等の他のアプリケーションファイルも格納可能な構成を有している。
【特許文献１】特開２００３−２９５８９６（図３、〔００１３〕）
【発明の開示】
【発明が解決しようとする課題】
【０００６】
しかし、特許文献１の携帯型音楽再生装置によると、グループ毎に分類可能なデータが専用アプリケーションによって転送された音楽関係データに限定されるため、他のデータを格納していたとしてもグループ化して分類することができず、用途が限定されてしまうという問題がある。
【０００７】
従って、本発明の目的は、本体の機能を用いて音楽関係データ以外のデータであっても共通の選択肢を含むグループで管理でき、かつ、その操作性に優れる携帯型音楽再生装置を提供することにある。
【課題を解決するための手段】
【０００８】
本発明は、上記の目的を達成するため、表示部を有する本体と、前記本体に収容された前記表示部に表示される表示画面を用いて選択的に再生される音楽データおよび画像データを記憶する記憶部と、前記表示部に、種別として音楽または画像を選択可能に表示する第１のメニュー画面を表示させ、前記第１のメニュー画面で選択された音楽または画像の種別をさらに複数にグループ化して選択可能とするために、複数の選択肢を表示させる第２のメニュー画面を表示する表示制御部とを有し、前記第２のメニュー画面は、音楽および画像の各種別に対して共通の選択肢を表示させる携帯型音楽再生装置を提供する。
【０００９】
本発明の携帯型音楽再生装置において、共通の選択肢は、少なくともアルバム、プレイリスト、フォルダ、ブックマーク、ゴミ箱のうちいずれか一つを含んでいることが好ましい。
【００１０】
本体は、前記第１および第２のメニュー画面の切り替えをスイッチ操作に基づいて行うことができる。
【００１１】
記憶部は、表示部のサイズに応じて形成された表示用画像を格納するものであっても良く、表示部での表示形態に応じたサイズおよび表示方向の表示用画像を格納するものであっても良い。
【００１２】
記憶部は、携帯型音楽再生装置に接続される外部機器から音楽および画像に係るデータの少なくとも一方を同期転送されるようにしても良い。
【発明の効果】
【００１３】
本発明によれば、本体の機能を用いて音楽関係データ以外のデータであっても共通の選択肢を含むグループで管理でき、かつ、その操作性を向上させることができる。
【発明を実施するための最良の形態】
【００１４】
（発明の実施の形態）
図１は、本発明の実施の形態に係る携帯型音楽再生装置を示し、（ａ）は正面図、（ｂ）は右側面図、（ｃ）は上面図、（ｄ）は底面図である。
【００１５】
（携帯型音楽再生装置１の構成）
この携帯型音楽再生装置１は、本体１０と、正面１１に設けられる表示部１２と、携帯型音楽再生装置１の種々の操作を行うタッチパッド１３と、本体１０の右側面に設けられる電源スイッチ１５と、携帯型音楽再生装置１の操作に必要な種々のメニューを表示させるメニュースイッチ１６と、携帯型音楽再生装置１の再生時に音量の増減を行う音量調整スイッチ１７と、ユーザーの使用頻度の高い機能を割り当てることができ、操作に基づいて割り当てた機能を呼び出すファンクションスイッチ１８と、本体１０の上面に設けられるヘッドホン端子２１と、本体１０に設けられる各スイッチをロックするホールドスイッチ２２と、外部電源に基づいて携帯型音楽再生装置１に電力を供給する外部電源端子２３と、外部機器とのデータ授受を行うためのＵＳＢ（Universal Serial Bus）クレードル端子２４と、ＵＳＢ端子２５とを有する。
【００１６】
（各部の構成）
本体１０は、箱状の筐体からなり、電源としてのリチウムイオンバッテリーと、記憶部としてＭＰ３、ＷＡＶ等のフォーマットのオーディオデータ、ＪＰＥＧ、ＢＭＰ等のフォーマットのフォトデータを格納するハードディスクドライブと、表示部１２、タッチパッド１３、各スイッチを制御する回路部品を収容している。
【００１７】
表示部１２は、２．４型のＴＦＴ（Thin Film Transistor）カラー液晶パネルからなり、表示画像サイズは３４０×２４０ドットでバックライトを有している。
【００１８】
タッチパッド１３は、十字型の外観を有するように形成されており、操作する場所に応じた機能を実行させる。
【００１９】
メニュースイッチ１６は、後述するオーディオ、フォトのグループに応じたメニュー画面を表示部１２に表示させる。オーディオ操作におけるメニューには、アルバムスキップ、ブックマーク登録、再生モード、ユーザー設定イコライザー等の項目が含まれている。また、フォト操作におけるメニューには、スライドショーモード、スライドショーインターバル、スライドショー効果、ブックマーク登録、壁紙に設定等の項目が含まれている。
【００２０】
音量調整スイッチ１７は、図１（ｂ）に示すスイッチ上側を操作することにより音量を大にし、スイッチ下側を操作することにより音量を小にする。
【００２１】
ファンクションスイッチ１８は、予め設定されている機能に代えて、ユーザーの設定操作に基づいて再生モード、イコライザー設定、アルバムスキップ、ブックマーク、ミュート、トップ画面表示等の表示画面をスイッチ操作に基づいて呼び出すように割り当てることが可能な構成を有する。
【００２２】
ＵＳＢクレードル端子２４は、後述するクレードルに携帯型音楽再生装置１が載置されたとき、クレードル側のＵＳＢ端子と接続されるように形成されている。
【００２３】
ＵＳＢ端子２５は、図示しないＵＳＢケーブルを接続することにより、ＵＳＢ端子を有するＰＣ（パーソナル・コンピュータ）や、通信機器等の端末装置とのデータ授受を行う。
【００２４】
図２は、本発明の実施の形態に係るタッチパッドを示し、（ａ）はタッチ部の配置を示す正面図、（ｂ）はタッチ操作を示す操作図、（ｃ）は縦方向へなぞる場合の操作図、（ｄ）は横方向へなぞる場合の操作図である。なお、同図においては操作に関する説明を容易にするため、タッチパッドのサイズが実物とは異なっている。
【００２５】
タッチパッド１３は、図２（ａ）に示すように十字の先端部に設けられるタッチ部１３０〜１３３と、タッチパッド中央に設けられるタッチ部１３４とを有しており、図２（ｂ）に示すように各タッチ部１３０〜１３４をユーザーの指でタッチすることによる操作と、図２（ｃ）に示すようにタッチ部１３０から１３１にかけてなぞる（以下、ジェスチャーという）ことによる操作と、図２（ｄ）に示すようにタッチ部１３３から１３２にかけてジェスチャーする操作が可能である。なお、ジェスチャーは、上記した方向とは逆の方向へも可能である。
【００２６】
図３は、本発明の実施の形態に係る携帯型音楽再生装置の主要な回路ブロック図である。なお、各部の符号について、前述した各図面で説明した構成と同一のものについては共通の引用数字を付している。
【００２７】
制御部１００は、オーディオデータのデコード、オーディオおよびフォトのファイルシステム管理、ユーザーインターフェース制御を行う。
【００２８】
操作部１０１は、本体１０に設けられる各スイッチの操作に応じた操作信号を制御部１００に出力する。
【００２９】
メモリ１０２は、オーディオ再生時に音飛びを防ぐものとしてオーディオデータのバッファリングを行う。バッファリングされたデータが再生されると次のデータがバッファリングされる。
【００３０】
フォトデータ加工部１０３は、ＵＳＢクレードル端子２４およびＵＳＢ端子２５を介して入力するフォトデータを携帯型音楽再生装置１で再生可能な表示画像サイズに加工するとともに、転送された画像データを加工して正面、反転、右回転、左回転、およびサムネイル表示の操作に応じた表示用画像を生成する。
【００３１】
記憶部１０４は、携帯型音楽再生装置１を動作させるためのファームウエア、オーディオおよびフォトの管理、再生に必要なプログラム、そして外部から転送されるオーディオデータおよびフォトデータを記憶する。
【００３２】
表示制御部１０５は、記憶部に記憶されるオーディオ、フォトのデータについて、および設定等についての項目を有し、これら項目毎にさらに複数の項目をグループ化して管理している。オーディオおよびフォトのグループは、下位のグループの構成が同等となるように設けられる。
【００３３】
音声出力部１０６は、制御部１００でデコードされたオーディオデータを、バス１０９を介して入力し、アナログデータに変換してヘッドホン端子２１に出力する。
【００３４】
駆動回路１０７は、ユーザー操作に基づく表示画面に応じたデータを制御部１００からバス１０９を介して入力することにより表示部１２を駆動制御する。
【００３５】
インターフェース（Ｉ／Ｆ）部１０８は、図示しないＵＳＢ端子等に外部機器が接続されたとき、バス１０９に対してオーディオまたはフォト、あるいはその両方のデータの入出力を制御する。
【００３６】
図４は、本発明の実施の形態に係る携帯型音楽再生装置の記憶部の要部構成図である。
【００３７】
記憶部１０４は、オーディオ関連データ格納部１０４Ａと、フォト関連データ格納部１０４Ｂとを有し、フォト関連データ格納部１０４Ｂは、転送画像データ格納部１４１と、表示用画像データ格納部１４２とからなる記憶領域１４０を有する。
【００３８】
転送画像データ格納部１４１は、外部から携帯型音楽再生装置１に転送されるＪＰＥＧ、ＢＭＰ等のフォトデータを未加工で保存する。
【００３９】
表示用画像データ格納部１４２は、携帯型音楽再生装置１に保存されるＪＰＥＧ、ＢＭＰ等のフォトデータを、表示部１２で表示可能な画像サイズ（３４０×２４０ドット）に加工した表示用画像を保存する。この表示用画像は、携帯型音楽再生装置１のフォトデータ加工部１０３において加工されたもののほか、外部機器から転送されるフォトデータに基づくものも含まれる。
【００４０】
図５は、本発明の実施の形態に係る表示制御部におけるデータのグループ構造図である。
【００４１】
表示制御部１０５は、記憶部１０４に記憶されているデータをグループ毎に管理しており、最上位に設けられるトップ画面１５１と、トップ画面の下位のグループとして設けられる第１のメニュー画面としてのオーディオメニュー１５２と、フォトメニュー１５３と、設定メニュー１５４とを有し、表示部１２に表示された表示画面に対してタッチパッド１３を操作することにより選択される。
【００４２】
オーディオメニュー１５２の下位のグループには、アーティスト、ジャンル、アルバム、プレイリスト、フォルダ、ブックマーク、およびごみ箱の項目１５２０を含む第２のメニュー画面としてのナビ画面１５２Ａが設けられており、各項目１５２０はさらに下位のグループ１５２Ｂ〜１５２Ｇに分類される。
【００４３】
オーディオメニュー１５２のグループについて、アーティストの項目は、オーディオ関連データ格納部１０４Ａに格納されるオーディオデータをアーティスト毎に分類した関連付けファイルを表示する。ジャンルの項目は、オーディオデータのジャンル毎に分類した関連付けファイルを表示する。アルバムの項目は、オーディオデータのアルバム毎に分類した関連付けファイルを表示する。プレイリストの項目は、オーディオデータに対してユーザーが設定した曲目、曲順のリストに基づくタイトルの関連付けファイルを表示する。フォルダの項目は、オーディオ関連データ格納部１０４Ａに格納されるオーディオデータおよびフォルダを表示する。ブックマークの項目は、ユーザーがブックマークを付与したオーディオデータのタイトルを表示する。ごみ箱の項目は、ユーザーが削除したオーディオデータを表示する。
【００４４】
フォトメニュー１５３は、オーディオメニュー１５２と同じグループに位置づけられている。フォトメニュー１５３の下位のグループには、アルバム、プレイリスト、フォルダ、ブックマーク、およびごみ箱の項目１５３０を含む第２のメニュー画面としてのナビ画面１５３Ａが設けられており、各項目１５３０はさらに下位のグループ１５３Ｄ〜１５３Ｇに分類される。フォトメニュー１５３は、オーディオメニュー１５２のアーティストおよびジャンルを除く項目１５２０と共通の選択肢およびグループ構造を有している。
【００４５】
フォトメニュー１５３のグループについて、アルバムの項目は、フォト関連データ格納部１０４Ｂに格納されるフォトデータをユーザーが付与したタイトル（例えば、遠足、旅行等）で分類した関連付けファイルを表示する。プレイリストの項目は、フォトデータに対してユーザーが設定した順番のフォトデータによるスライドショーに基づくタイトルの関連付けファイルを表示する。フォルダの項目は、フォト関連データ格納部１０４Ｂに格納されるフォトデータおよびフォルダ（転送画像データ格納部１４１、表示用画像データ格納部１４２）を表示する。ブックマークの項目は、ユーザーがブックマークを付与したフォトデータのタイトルを表示する。ごみ箱の項目は、ユーザーが削除したフォトデータを表示する。
【００４６】
設定メニュー１５４は、オーディオメニュー１５２およびフォトメニュー１５３と同じグループに位置づけられている。設定メニュー１５４の下位のグループには、基本設定、オーディオ、フォト、画面、接続、時計、および言語の項目１５４０を含むナビ画面１５４Ａが設けられている。
【００４７】
図６は、本発明の実施の形態に係る携帯型音楽再生装置と接続される機器の接続図である。
【００４８】
携帯型音楽再生装置１は、ＵＳＢ端子を介して複数の外部機器を接続することが可能なマスストレージ機能を有し、オーディオおよびフォトのデータを管理するデータ管理ソフトウエアをインストールされたＰＣ３と、単独での使用およびＰＣ３の外部接続ドライブとしても使用可能なＣＤプレーヤ４と、家庭用オーディオ機器である音楽再生装置５と、ビデオカメラ６と、デジタルカメラ７との接続が可能である。なお、これらの外部機器との接続は、ＵＳＢクレードル端子２４およびＵＳＢ端子２５のいずれによっても可能である。また音楽再生装置５に対してはヘッドホン端子２１からのラインアウト出力による音声出力も可能である。
【００４９】
データ管理ソフトウエア３００は、ＰＣ３のハードディスクドライブ内に格納されたオーディオおよびフォトのデータをＰＣ３の表示部に表示される管理画面上に取り込んで一元管理するとともに、取り込んだデータのプレイリストや、ブックマーク、アルバム等の関連付けデータを作成する編集機能と、携帯型音楽再生装置１の表示部１２で表示させる表示用画像を生成する機能を有している。このデータ管理ソフトウエア３００で作成された関連付けデータおよび表示用画像は、携帯型音楽再生装置１に転送することが可能である。
【００５０】
図７は、本発明の実施の形態に係る携帯型音楽再生装置のグループ構成を示す表示部の表示画像を示し、（ａ）はオーディオメニューの表示画像、（ｂ）はオーディオメニューの下位のナビ画面、（ｃ）はフォトメニューの表示画像、（ｄ）はフォトメニューの下位のナビ画面である。
【００５１】
オーディオメニュー１５２は、図７（ａ）に示すように、表示画像上部に配置されるデータ名１２０と、選択されたデータを示す選択部表示１２１と、表示画像下部に配置されるガイド画像表示１２２と、時計表示１２３と、電池残量１２４を示しており、選択部表示１２１は選択部分（図７（ａ）においては、「オーディオ」）が広く選択された表示となる。ガイド画面表示１２２は、タッチパッド１３のタッチ部１３０〜１３４に設定される機能をガイド表示する。電池残量１２４は、乾電池の形状の表示に応じて電池の残量を示すものであり、電池残量の低下につれて液晶による表示エリアが減少する。また、外部電源駆動時には、コンセントの表示がなされる。
【００５２】
オーディオメニュー１５２の表示された状態でタッチパッド１３のタッチ部１３２を操作することにより、図７（ｂ）に示すナビ画面１５２Ａが表示される。
【００５３】
ナビ画面１５２Ａは、ガイド画面表示１２２と、時計表示１２３と、電池残量１２４とを有するとともに、アーティスト、ジャンル、アルバム、プレイリスト、フォルダ、ブックマーク、およびごみ箱（図示せず）の項目を表示する。なお、全ての項目を画面表示できないときは、非表示の項目を出現させるためのスクロールバー１２５が表示される。
【００５４】
フォトメニュー１５３は、図７（ｃ）に示すように、タッチパッド１３のタッチ部１３１の操作に基づいて選択部表示１２１を「フォト」に移動させることで選択可能となる。
【００５５】
フォトメニュー１５３の表示された状態でタッチパッド１３のタッチ部１３２を操作することにより、図７（ｄ）に示すナビ画面１５３Ａが表示される。
【００５６】
ナビ画面１５３Ａは、オーディオのナビ画面１５２Ａと同様に、ガイド画面表示１２２と、時計表示１２３と、電池残量１２４とを有するとともに、アルバム、プレイリスト、フォルダ、ブックマーク、およびごみ箱の項目を表示する。ここで表示される項目は、オーディオのナビ画面１５２Ａからアーティストおよびジャンルを除いたものと同一の構成を有する。
【００５７】
（データの同期転送１）
図８は、ＰＣと携帯型音楽再生装置とを接続して同期転送機能に基づきデータの転送を行う第１の動作を示す概要図である。
【００５８】
外部機器から携帯型音楽再生装置１の記憶部１０４にオーディオおよびフォトのデータを転送する方法として、ＰＣ３からオーディオおよびフォトのデータを同期機能に基づいて転送する方法がある。同期転送機能とは、接続された機器同士で同一のデータを保有するように補完するものである。
【００５９】
（同期転送の手順）
まず、携帯型音楽再生装置１とＰＣ３とをＵＳＢケーブルで接続し、携帯型音楽再生装置１がＰＣ３に認識された状態とする。次に、ＰＣ３でデータ管理ソフトウエア３００を起動し、管理画面上に表示されるオーディオまたはフォトのデータについて携帯型音楽再生装置１への転送を実行する。ここで、フォトデータを選択した場合、ＰＣ３の同期フォルダ（フォト）３０に格納されているフォトデータのうち、携帯型音楽再生装置１にないフォトデータについて表示用画像が生成されて表示用フォト格納フォルダ３２に格納される。次に、所定のタイミングで同期フォルダ３０の構成がＵＳＢケーブルを介して携帯型音楽再生装置１に転送される。この転送時にフォトデータおよび表示用画像は記憶領域１４０に設けられる転送画像データ格納部１４１と、表示用画像データ格納部１４２にそれぞれ格納される。
【００６０】
また、ＰＣ３でオーディオのデータについて転送を実行した場合、所定のタイミングで同期フォルダ（オーディオ）３１の構成がＵＳＢケーブルを介して携帯型音楽再生装置１に転送される。転送されたオーディオのデータは記憶部１０４のオーディオ関連データ格納部１０４Ａに格納される。
【００６１】
このようにして転送されたフォトおよびオーディオのデータは、表示制御部１０５によって、図５で説明したグループ構造に基づいて管理される。
【００６２】
図９は、ＰＣと携帯型音楽再生装置とを接続して同期転送機能に基づきデータの転送を行う第２の動作を示す概要図である。
【００６３】
第１の動作では、ＰＣ３の操作に基づいて携帯型音楽再生装置１の記憶部１０４にオーディオおよびフォトのデータを転送する方法を説明したが、第２の動作では、クレードル８を用いることによりＰＣ３の操作によらずにオーディオおよびフォトのデータを同期転送機能に基づいて転送することが可能である。ここで、携帯型音楽再生装置１はＰＣ３とＵＳＢケーブルで接続されたクレードル８に載置されている。クレードル８は本体表面にＰＣ３からオーディオおよびフォトのデータ転送を実行する転送スイッチ８０を有している。このクレードル８は図示しない外部電源によって電力を供給されている。
【００６４】
クレードル８による同期転送は、転送スイッチ８０の操作に基づいてＰＣ３のデータ管理ソフトウエア３００を自動的に起動させるので、データ管理ソフトウエア３００は最後に終了したときの操作画面設定を引き継いで起動する。例えば、オーディオ操作画面を表示させた状態でデータ管理ソフトウエア３００を終了させた場合にはオーディオ操作画面で起動し、フォト操作画面を表示させた状態でデータ管理ソフトウエア３００を終了させた場合にはフォト操作画面で起動する。
【００６５】
以下の説明では、フォト操作画面を表示させた状態でデータ管理ソフトウエア３００を終了させた後に転送スイッチ８０が操作された場合について説明する。
【００６６】
（同期転送の手順）
まず、ＰＣ３の電源を投入し、クレードル８をＵＳＢケーブルで接続する。次に、携帯型音楽再生装置１の電源を投入し、クレードル８に載置する。次に、クレードル８の転送スイッチ８０を操作する。この転送スイッチ８の操作に基づいてＰＣ３においてデータ管理ソフトウエア３００がフォト操作画面で起動し、ＰＣ３の同期フォルダ３０に格納されているフォトデータのうち、携帯型音楽再生装置１にないフォトデータについて表示用画像が生成されて表示用フォト格納フォルダ３２に格納される。次に、所定のタイミングで同期フォルダ３０の構成がＵＳＢケーブルを介して携帯型音楽再生装置１に転送される。この転送時にフォトデータおよび表示用画像は記憶領域１４０に設けられる転送画像データ格納部１４１と、表示用画像データ格納部１４２にそれぞれ格納される。このようにして格納されたフォトデータは、表示制御部１０５によって、図５で説明したグループ構造に基づいて管理される。
【００６７】
図１０は、デジタルカメラと携帯型音楽再生装置とを接続してデータの転送を行う動作を示す概要図である。
【００６８】
本実施の形態の携帯型音楽再生装置１は、デジタルカメラ７からＵＳＢケーブルを介して直接フォトデータを転送（バックアップ）することができる。この場合、フォトデータ転送に伴って携帯型音楽再生装置１ではフォトデータ加工部１０３で表示用画像の生成および格納が行われる。
【００６９】
（フォトデータ転送の手順）
まず、携帯型音楽再生装置１の電源を投入し、ＵＳＢケーブルを介してデジタルカメラ７を接続し、電源を投入する。携帯型音楽再生装置１は、デジタルカメラ７を認識すると表示部１２にフォトデータのバックアップを開始するか否かの表示画像を表示する。ユーザーがタッチパッド１３のタッチ部１３０または１３１を操作することによって「実行」を選択し、タッチ部１３２を操作するとバックアップが開始される。デジタルカメラ７の記憶部７０から転送されるフォトデータはフォトデータ加工部１０３および記憶領域１４０の転送画像データ格納部に転送される。フォトデータ加工部１０３は、転送されたフォトデータを加工して正面、反転、右回転、左回転、およびサムネイル表示の操作に基づく表示用画像を生成し、記憶領域１４０の表示用画像データ格納部に転送する。記憶領域１４０に格納されたフォトデータは、表示制御部１０５によって、図５で説明したグループ構造に基づいて管理される。
【００７０】
（発明の実施の形態の効果）
上記した実施の形態によると、携帯型音楽再生装置１においてオーディオデータとフォトデータとが同じグループ構造で管理されるようにしたので、オーディオおよびフォトの再生等の操作を統一化することができ、操作性が向上する。また、オーディオメニューとフォトメニューとが同一表示画面上に表示されることから、携帯型音楽再生装置１の多機能化を図りながらも操作性が明瞭になり、ユーザーの誤操作を低減させることができる。
【００７１】
また、オーディオおよびフォトのデータを外部機器から容易に転送でき、かつ、同じグループ構造で管理できるので、オーディオおよびフォトのデータ取り込みに伴うユーザー操作の煩雑さを解消することができる。
【００７２】
なお、本発明は、上記した各実施の形態に限定されず、本発明の技術思想を逸脱あるいは変更しない範囲内で種々な変形が可能である。
【図面の簡単な説明】
【００７３】
【図１】本発明の実施の形態に係る携帯型音楽再生装置を示し、（ａ）は正面図、（ｂ）は右側面図、（ｃ）は上面図、（ｄ）は底面図である。
【図２】本発明の実施の形態に係るタッチパッドを示し、（ａ）はタッチ部の配置を示す正面図、（ｂ）はタッチ操作を示す操作図、（ｃ）は縦方向へなぞる場合の操作図、（ｄ）は横方向へなぞる場合の操作図である。
【図３】本発明の実施の形態に係る携帯型音楽再生装置の主要な回路ブロック図である。
【図４】本発明の実施の形態に係る携帯型音楽再生装置の記憶部の要部構成図である。
【図５】本発明の実施の形態に係る表示制御部におけるデータのグループ構造図である。
【図６】本発明の実施の形態に係る携帯型音楽再生装置と接続される機器の接続図である。
【図７】本発明の実施の形態に係る携帯型音楽再生装置のグループ構成を示す表示部の表示画像を示し、（ａ）はオーディオメニューの表示画像、（ｂ）はオーディオメニューの下位のナビ画面、（ｃ）はフォトメニューの表示画像、（ｄ）はフォトメニューの下位のナビ画面である。
【図８】ＰＣと携帯型音楽再生装置とを接続して同期転送機能に基づきデータの転送を行う第１の動作を示す概要図である。
【図９】ＰＣと携帯型音楽再生装置とを接続して同期転送機能に基づきデータの転送を行う第２の動作を示す概要図である。
【図１０】デジタルカメラと携帯型音楽再生装置とを接続してデータの転送を行う動作を示す概要図である。
【符号の説明】
【００７４】
１…携帯型音楽再生装置、４…ＣＤプレーヤ、５…音楽再生装置、６…ビデオカメラ、７…デジタルカメラ、８…クレードル、８…転送スイッチ、１０…本体、１１…正面、１２…表示部、１３…タッチパッド、１５…電源スイッチ、１６…メニュースイッチ、１７…音量調整スイッチ、１８…ファンクションスイッチ、２１…ヘッドホン端子、２２…ホールドスイッチ、２３…外部電源端子、２４…ＵＳＢクレードル端子、２５…ＵＳＢ端子、３０…同期フォルダ（フォト）、３１…同期フォルダ（オーディオ）、３２…表示用フォト格納フォルダ、７０…記憶部、８０…転送スイッチ、１００…制御部、１０１…操作部、１０２…メモリ、１０３…フォトデータ加工部、１０４…記憶部、１０４Ａ…オーディオ関連データ格納部、１０４Ｂ…フォト関連データ格納部、１０５…表示制御部、１０６…音声出力部、１０７…駆動回路、１０８…Ｉ／Ｆ部、１０９…バス、１２０…データ名、１２１…選択部表示、１２２…ガイド画像表示、１２２…ガイド画面表示、１２３…時計表示、１２４…電池残量、１２５…スクロールバー、１３０〜１３４…タッチ部、１４０…記憶領域、１４１…転送画像データ格納部、１４２…表示用画像データ格納部、１５１…トップ画面、１５２…オーディオメニュー、１５２Ａ…ナビ画面、１５２Ｂ〜１５２Ｇ…グループ、１５３…フォトメニュー、１５３Ａ…ナビ画面、１５３Ｄ〜１５３Ｇ…グループ、１５４…設定メニュー、１５４Ａ…ナビ画面、３００…データ管理ソフトウエア、１５２０…項目、１５３０…項目、１５４０…項目、
【図１】
2007080426.tif 000003
【図２】
2007080426.tif 000004
【図３】
2007080426.tif 000005
【図４】
2007080426.tif 000006
【図５】
2007080426.tif 000007
【図６】
2007080426.tif 000008
【図７】
2007080426.tif 000009
【図８】
2007080426.tif 000010
【図９】
2007080426.tif 000011
【図１０】
2007080426.tif 000012